(57)【特許請求の範囲】
【請求項１】
地山に接して配設された支圧部に支持された円柱または円筒状の台座と、
同台座を前記支圧部に保持する保持金具と、
地山内の削孔部に挿入され、先端部が同削孔部内に定着された引張材における前記円柱または円筒状の台座を貫通する基端部を、同台座に緊締する締付金具とよりなり、
前記台座を前記支圧部に保持する保持金具はくさびにより構成されている、
ことを特徴とするアンカー頭部構造。
【発明の詳細な説明】
【０００１】
【産業上の利用分野】
本発明はアンカー工法における引張材を緊張、固定するためのアンカー頭部構造に係るものである。
【０００２】
【従来の技術】
従来、アンカー工法における地山の削孔部に先端が挿入、定着されたアンカー材の基端部を定着するように、地山の受圧部に支持された台座は、鋼板の組合せ部材、コンクリート板、あるいは鋼板だけより構成されている。
【０００３】
【発明が解決しようとする課題】
しかしながら前記従来構造における台座面は、引張材挿入用の削孔の方向誤差や、アンカー頭部固定面の仕上げ精度等により、引張方向に必ずしも垂直な面を保持しない。このような場合に、従来の台座と支圧板とを組み合わせて引張材を固定すると、支圧面と引張材とが垂直に交叉しないため、アンカー頭部での引張材の緊張力と定着部に作用している実際のアンカー力は設計で想定しているものと異なることとなる。
【０００４】
本発明は従来技術の有する問題点に鑑みて提案されたもので、その目的とする処は、引張材の方向に対して常に垂直面を保持しうる台座と支圧板とを組み合わせたアンカー頭部構造を提供する点にある。
【０００５】
【課題を解決するための手段】
前記の目的を達成するために、本発明に係るアンカー頭部構造は、地山に接して配設された支圧部に支持された円柱または円筒状の台座と、同台座を前記支圧部に保持する保持金具と、地山内の削孔部に挿入され、先端部が同削孔部内に定着された引張材における前記円柱または円筒状の台座を貫通する基端部を、同台座に緊締する締付金具とよりなり、前記台座を前記支圧部に保持する保持金具はくさびにより構成されていることを特徴とする。
【０００９】
【作用】
本発明は前記したように構成されているので、引張材を緊締して台座に固定する際に、支圧部に支持された円柱または円筒状の台座の彎曲面に沿って保持金具が滑動することによって、前記引張材を、同引張材が挿入された削孔方向と一致するように前記台座、支圧部に固定して緊張することができる。また本発明は、前記円柱または円筒状の台座を、くさびより構成された保持金具を使用して前記支圧部に保持せしめることにより、構成を簡略化し、作業性を向上させたものである。
【００１２】
【実施例】
以下、本発明を図示の実施例について説明する。
図１乃至図８は本発明の第１実施例を示し、１は台座で、凸形球面状に形成され、長方形の開口部１ａが穿設され、内部はアンカー力に十分に耐えられるように鋼板１ｂを縦横に組み合わせて補強されている。（図５乃至図６参照）
２は支圧板で、前記台座１の凸形球面部に滑動自在に嵌合する凹曲面２ａが設けられるとともに、円形の開口部２ｂが設けられている。（図７及び図８参照）
次に前記アンカー頭部構造を具えたアンカー工法について説明する。
【００１３】
Ｈ形鋼Ｓ1 で山留を構成した地山Ｇ内に削孔部Ｈを設け、（図１（イ）参照）同削孔部Ｈに引張材３を挿入し、（図１（ロ）参照）同削孔部Ｈの先端定着部にグラウト材を注入して、同削孔部Ｈに引張材３の先端部を定着したのち、同引張材３の基端部を前記Ｈ形鋼Ｓ1 に設置された台座１の開口部１ａに挿貫し、（図１（ハ）参照）更に支圧板２における開口部２ｂに前記引張材３を貫通させ、且つ引張材３の方向に対して垂直を保つような位置を占めるように、前記台座１の凸形球面に沿って凹曲面２ａを滑動し、（図１（ニ）参照）前記台座１及び支圧板２の各開口部１ａ、２ｂに挿貫した引張材３を締付金具４によって緊締、固定する（図１（ホ）参照）
図２に示す実施例においては山留構造物がコンクリート壁Ｓ2 より構成され、図３に示す実施例においては鋼板又はコンクリート板による独立構造の受圧部Ｓ3 が構成されている。
【００１４】
図９乃至図１４は本発明の他の実施例を示し図９において１１は地山Ｇに接して配設された、引張材の緊張、固定用支圧板で、同支圧板１１に台座１２がくさび等より構成された保持金具１３を介して所定位置に保持されるとともに、後述の引張材に対する締付金具１４が設置されている。
なお前記図９においては地山Ｇ面に直接保持支圧板１１及び台座１２を設置した例が示されているが、同支圧板１１及び台座１２は図１０に示すように山留構造物の土圧支持体の構造によって異なり、図１０（イ）はコンクリート壁面に、また図１０（ロ）はＨ形鋼Ｓからなる山留構造物に設置した場合を示す。
【００１５】
図１１は支圧板を示し、図１１（イ）（ニ）は方形、（ロ）（ホ）は鋼製の円形主板に引張材挿貫用開口部１１ａが穿設され、（ハ）（ヘ）はコンクリートまたは鉄筋コンクリートを主体とする支圧板１１の開口部１１ａの周囲が鋼板１１ｂで補強されている。
図１２は台座を示し、図１２（イ）（ホ）は中央に引張材１５が貫通される円形の開口部１２ａを有する円柱体より構成され、図１２（ロ）（ヘ）は引張材１５の貫通される円形の開口部１２ａが設けられ、図１２（ハ）（ト）は引張材１５が貫通される円形の開口部１２ａを有する半円柱体より構成され、同１２（ニ）（チ）に示す台座は引張材１５の貫通される欠円断面の円柱より構成された台座が示されている。
【００１６】
図１３は台座１２を支圧板１１の所定位置に保持するための保持金物１３を示し、支圧板１１に接する底面１３ａは平面で、台座１２に接する面１３ｂは上面は斜面、若しくは台座面に合わせた曲面状に形成されている。
図１４は本発明のアンカー頭部構造を使用したアンカー工法の工程を示し、切土等で生じた地山Ｇに表面から引張材挿入用の削孔部Ｈを掘削し、（図１４（イ）参照）同削孔部Ｈ内に引張材１５を挿入し、（図１４（ロ）参照）同削孔部Ｈにグラウトを注入したのち、支圧板１１をその開口部１１ａに引張材１５を貫通させて地山Ｇに設置する。（図１４（ニ）参照）更に台座１２をその開口部１２ａを介して前記引張材１５に貫通させ、且つ引張材１５の方向に対して台座１２の開口部１２ａの方向が同一方向になるように支圧板１１に設置して、締付金具１４を介して仮締めする。（図１４（ニ）参照）
次いで台座１２が所定の位置を保持するように台座１２と支圧板１１との間に保持金物１３を適宜数楔入し、（図１４（ホ）参照）同保持金物１３と締付金具１４とによって引張材１５を緊張し、固定する。
【００１７】
【発明の効果】
本発明に係るアンカー頭部構造は前記したように、地山に接して配設された支圧部に支持された円柱または円筒状の台座と、同台座を前記支圧部に保持する保持金具と、地山内の削孔部に挿入され、先端部が同削孔部内に定着された引張材における前記円柱または円筒状の台座を貫通する基端部を、同台座に緊締する締付金具とよりなり、前記台座を前記支圧部に保持する保持金具はくさびにより構成されているので、アンカー頭部で加えた力と実際に定着部に作用するアンカー力を一致させることができる。従って、山留構造物の面と引張材の方向がなす角度が一定でなくても、常に引張材の方向に緊張することができる。更に、前記支圧部と台座は鋼材によって製作すれば各種寸法のものを目的に応じて簡単に、且つ比較的低コストで入手できる。また本発明は、前記台座を支圧部に保持する保持金具をくわびより構成したことによって、構成を簡略化し、作業性を向上させうるものである。
【図面の簡単な説明】
【図１】（イ）（ロ）（ハ）（ニ）及び（ホ）は本発明に係るアンカー頭部構造を具えたアンカー工法の一実施例の工程を示す縦断面図である。
【図２】前記アンカー工法の他の実施例の実施状況を示す縦断面図である。
【図３】前記アンカー工法の他の実施例の実施状況を示す縦断面図である。
【図４】台座の側面図である。
【図５】図４の矢視イ−イ図である。
【図６】図４の矢視ロ−ロ図である。
【図７】支圧板の側面図である。
【図８】図７の矢視ハ−ハ図である。
【図９】（イ）（ロ）は本発明に係るアンカー頭部構造の他の実施例を示す平面図及び縦断面図である。
【図１０】（イ）（ロ）は夫々本発明に係るアンカー頭部構造の他の各実施例を示す縦断面図である。
【図１１】（イ）（ロ）及び（ハ）は夫々支圧板の各例を示す平面図、（ニ）（ホ）及び（ヘ）は夫々（イ）（ロ）（ハ）の側面図である。
【図１２】（イ）（ロ）（ハ）及び（ニ）は夫々台座の各例を示す平面図、（ホ）（ヘ）（ト）及び（チ）は夫々（イ）（ロ）（ハ）（ニ）の縦断側面図である。
【図１３】（イ）（ロ）及び（ハ）は夫々保持金具の平面図、正面図及び側面図である。
【図１４】（イ）（ロ）（ハ）（ニ）及び（ホ）は本発明に係るアンカー頭部構造を有するアンカー工法の他の実施例の工程を示す縦断面図である。
【符号の説明】
Ｃ      コンクリート壁面
Ｇ      地山
Ｈ      削孔部
Ｓ1     Ｈ形鋼
Ｓ2     独立構造の受圧部
１      台座
１ａ      開口部
１ｂ      鋼板
２      支圧板
２ａ      凹曲面
２ｂ      開口部
３      引張材
４      締付金具
１１      支圧板
１１ａ      開口部
１１ｂ      鋼板
１２      台座
１２ａ      開口部
１３      保持金具
１４      締付金具
１５      引張材
【図１】
0003635355.tif 000002
【図２】
0003635355.tif 000003
【図３】
0003635355.tif 000004
【図４】
0003635355.tif 000005
【図５】
0003635355.tif 000006
【図６】
0003635355.tif 000007
【図７】
0003635355.tif 000008
【図８】
0003635355.tif 000009
【図９】
0003635355.tif 000010
【図１０】
0003635355.tif 000011
【図１１】
0003635355.tif 000012
【図１２】
0003635355.tif 000013
【図１３】
0003635355.tif 000014
【図１４】
0003635355.tif 000015